(57)【特許請求の範囲】
【請求項１】
窓を挟んで窓枠部の両側に取り付けられる第一及び第二のストッパーと、全長を微調整させるためのアジャスターを設けた棒状部材とで構成され、第一のストッパーには、前記棒状部材の一端を支える弾性部材内蔵の支持部を備え、第二のストッパーには、前記棒状部材を押し込むことにより接点が切り替わるスイッチを内蔵した支持部を備え、前記棒状部材は、その一端が第一のストッパーの支持部に、内蔵された弾性部材の反発力により押し戻される状態にて保持され、前記棒状部材の他端は、前記弾性部材の反発力により第二のストッパーの支持部に押し込まれ、内蔵されたスイッチが切り替わった状態にて保持されることを特徴とする窓用防犯装置。
【請求項２】
前記アジャスターは、前記棒状部材の基本部材より一回り大きなキャップ状のものであり、前記基本部材との重複部分の長さを増減させた後にロックすることにより、前記棒状部材の全長を調節するものであることを特徴とする請求項１に記載の窓用防犯装置。
【請求項３】
前記ストッパーは、前記棒状部材が設置される面の反対側の面を固定面とし、その面にビス穴用ノックアウトを設けるとともに、そのほかに少なくとも１つの側面を固定面とし、その面にもビス穴用ノックアウトを設けたことを特徴とする請求項１または請求項２に記載の窓用防犯装置。
【発明の詳細な説明】
【０００１】
【発明の属する技術分野】
本発明は、住宅等の窓からの侵入者を検知する窓用防犯装置に関するものである。
【０００２】
【従来の技術】
窓用の防犯装置としては、マグネットとリードスイッチとで構成されたマグネットスイッチ、ガラス破壊検知器、赤外線センサーなどが実用化されている。浴室や便所などに設けられた比較的小さな窓を、主な警戒対象とするセンサーもある。その一例として、特開平７−１１４６７５号に開示されている「窓用防犯センサー」が挙げられる。このセンサーは、板簾状に構成された開閉可能な窓ガラス（ジャロジー窓と呼ばれている）に取り付けて用いるものであり、一部実用化されている。
【０００３】
【発明が解決しようとする課題】
従来のジャロジー窓用のセンサーは、窓を挟んで２つのベース部材を設置し、その間に、一方をベース部材に回転自在に支持されたアームを渡したものである。アームの先端にリードスイッチを内蔵し、アームがベース部材に固定された状態の時、このリードスイッチがベース部材に内蔵されたマグネットに接近し、接点が切り替わり、その状態がアーム内に通されたリード線を通じて送られるよう構成されている。
【０００４】
このセンサーは、次に示す問題点を有している。まず第一に、アームを切断されても異常が検知されるように、アーム内にリード線を通した構成を採用しているが、アームを切断しなくても、このセンサーを不動作状態にすることが、容易にできてしまうという点である。つまり、アームの先端に内蔵されているのはリードスイッチであり、ある程度の磁力強度を備えたマグネットを準備すれば、それをリードスイッチに近づけることにより、強制的に接点の状態を維持させることができる。そして、アームの先端をそのマグネットとともにベース部から離せば、センサーは作動することがなく、侵入者はその窓を通過することができてしまうのである。
【０００５】
また、そのようなマグネットを準備しなくても、マグネットを内蔵したほうのベース部を、強引に取り外し、アームの先端から離さないようにしてそのアームを回転させれば、センサーを作動させることなく、侵入者はその窓を通過することができてしまうのである。このセンサーを構成する２つのベース部材は、構造上外観が異なっており、どちらのベース部材にマグネットが内蔵されているのかは、侵入者に簡単に見破られてしまう。
【０００６】
そのほかに、アームの内部に配線を通しているため、アームの長さがほぼ固定されており、アームを交換して窓のサイズに合わせるといったことが簡単にできない。このため、窓のサイズに合わせて数多くの種類のセンサーを準備しなくてはならないという問題がある。
【０００７】
【課題を解決するための手段】
本発明は、このような、侵入者検知用のセンサーが、簡単に働かない状態にされてしまうという致命的欠点と、そのほかの従来の問題点を併せて解消するために、窓用防犯装置を、窓を挟んで窓枠部の両側に取り付けられる第一及び第二のストッパーと、全長を微調整させるためのアジャスターを設けた棒状部材とで構成した。第一のストッパーには、前記棒状部材の一端を支える弾性部材内蔵の支持部を備え、第二のストッパーには、前記棒状部材を押し込むことにより接点が切り替わるスイッチを内蔵した支持部を備えた。そして、前記棒状部材は、その一端が第一のストッパーの支持部に、内蔵された弾性部材の反発力により押し戻される状態にて保持され、前記棒状部材の他端は、前記弾性部材の反発力により第二のストッパーの支持部に押し込まれ、内蔵されたスイッチが切り替わった状態にて保持されるようにしたものである。
【０００８】
【発明の実施の形態】
図１は、本発明の窓用防犯装置の構成を示した断面図である。１は第一のストッパーであり、弾性部材としてのスプリング６が内蔵されている。２は第二のストッパーであり、棒状部材を押し込むことにより切り替わるスイッチとしてのリミットスイッチ５が内蔵されている。３は棒状部材の基本部材としてのステンレス製のポールである。４はアジャスターであり、ポール３の両端に取り付けられ、ポールとの重複部分の長さを増減させた後にロックネジ７を締め付けることにより、棒状部材の全長が調節されるようになっている。第二のストッパー２内には、リミットスイッチ５のリードに接続された端子台８を内蔵しており、この端子台８に接続される配線を介して、リミットスイッチ５の接点状態が出力される。
【０００９】
以上の構成を備えた本発明の窓用防犯装置を、ジャロジー窓の窓枠９の内側の面に設置した状態を示したのが図２である。この窓は、人間一人が辛うじて通り抜けられる程度の大きさであり、その中央部に１台の窓用防犯装置が設置されている。２つのストッパーの、棒状部材が設置される面の反対側の面をそれぞれ固定面とし、その面に設けられたビス穴用ノックアウトを破り、固定用のビス（図示省略）を用いて窓枠９の内側の面に固定されている。
【００１０】
第二のストッパー２には、別の場所に設置された制御部へ検知信号を送るための配線が導入されている。この配線は、端子台８に接続され、配線全体は、固定面の開口部を通って壁面内に埋め込まれたまま制御部まで通じており、侵入者がこの配線に直接細工を施すことができないようになっている。棒状部材は、この窓用防犯装置の２つのストッパー間に渡すのにちょうどよい長さになるように、その全長が調節される。その調節は、ポール３の両端に設けられたアジャスター４のロックネジ７を緩め、ポールとアジャスターの重複部分の長さを調整し、そのあとで、ロックネジ７が締め付けられることによって完了する。その後は、簡単にはその長さが変更されないようになっている。ロックネジ７としては、普通のドライバーでは回すことのできない、特殊なネジが採用されている。
【００１１】
長さを調節された棒状部材の一方の端を、第一のストッパー１の支持部に押し込み、その状態を維持しながら、他方の端を、第二のストッパー２の支持部のところまで持っていき、そこでゆっくり手を離す。すると、棒状部材は、第一のストッパー１のスプリング６の反発力により、第二のストッパー２側に押し戻され、棒状部材は、両方のストッパーの支持部に納まって固定される。このとき、第二のストッパー２内のリミットスイッチ５が、棒状部材の先端により押され、その接点が切り替わる。
【００１２】
この状態が、本発明の窓用防犯装置の警戒状態である。侵入者が外部よりこのジャロジー窓から入ろうとすると、この窓用防犯装置の棒状部材にかかってしまうことになる。第二のストッパー２の近くで、この棒状部材に対して、垂直の方向に力を加えると、アジャスター４の先端部がテーパー状に加工されているので、この部分が第二のストッパー２の支持部の縁部にそって移動し、棒状部材全体が、第一のストッパー１の方向に浮き上がる。すると、棒状部材は、第一のストッパー１のスプリング６を押して、第一のストッパー１内にめり込む形となる。そして、第二のストッパー２内のリミットスイッチ５の可動片から棒状部材が離れ、接点が反転し、検知信号が、端子台８に接続された配線を通して、制御部へ送られる。
【００１３】
第一のストッパー１の近くで、この棒状部材に対して、垂直の方向に力を加えると、棒状部材は第二のストッパー２の方向へは移動することができないので、棒状部材が、この第一のストッパー１側で外れることはない。無理に大きな力を加えると、第一のストッパー１自体が破壊されるか、ポール３が折り曲げられることになる。すると、棒状部材の第二のストッパー２側が外れ、リミットスイッチ５の可動片から棒状部材が離れ、接点が反転する。そして、検知信号が、制御部へ送られる。
【００１４】
このように、リミットスイッチ５を作動させることなく、棒状部材が外れることはなく、また、故意に、この棒状部材を、リミットスイッチ５を作動させることなく取り外すことは、実質上不可能である。ロックネジ７を緩めてポール３を第二のストッパー２側のアジャスター４から抜き取ろうとした場合、棒状部材全体を傾けなくてはならず、このときこのアジャスター４の先端部は、第二のストッパーの支持部から離れることになり、リミットスイッチ５が作動する。ただし、ポール３とアジャスター４の重複部の長さを、充分とっていない状態のまま設置されている場合には、第一のストッパー１側のアジャスター４の重複部分を増加させることにより、第二のストッパー２側に、アジャスター４を残したまま、ポール３を抜き取ることができてしまうので、ポール３の長さに対する棒状部材の可変範囲の最大値を、適切に指定しておく必要がある。
【００１５】
棒状部材を切断して侵入することも想定されるが、ポール３やアジャスター４をステンレスなどの鋼材により形成させておくことで、十分に対応可能である。つまり、ジャロジー窓自体が、人間一人が辛うじて通過できる程度の大きさであり、ポールの切断もひとりでおこなわなくてはならない。第二のストッパー２側のアジャスター４をしっかり固定しながら、直径数ミリ以上のステンレス棒を切断するには、かなりの労力と時間を要する。短時間で切断しようとして、電動工具等を用いると、大きな音を発生させてしまうことになり、侵入手口としては、現実的ではない。従来の「窓用防犯センサー」のようにポール内に配線を通す必要性がないので、中空のステンレスパイプでなくても済み、その分頑丈な材料が選択できる点も有利である。
【００１６】
本発明の窓用防犯装置を、ジャロジー窓の窓枠９の室内側の面に設置した状態を示したのが図３である。２つのストッパーの側面を固定面とし、その面に設けられたビス穴用ノックアウトを破り、固定用のビス（図示省略）を用いて窓枠９の室内側の面に固定されている。第二のストッパー２には、別の場所に設置された制御部へ検知信号を送るための配線が導入されている。この配線は、端子台８に接続され、配線全体は、固定面の開口部を通って壁面内に埋め込まれたまま制御部まで通じており、侵入者がこの配線に直接細工を施すことができないようになっている。そのほか、棒状部材の設置方法などは、図２の設置状態に基づく説明と同じである。
【００１７】
このように本発明の窓用防犯装置は、そのストッパーの側面にも、ビス穴用ノックアウトを設けた構造としたので、個々の窓の構造に合わせて、基本的機能及び外観を損なうことなく、設置することができるのである。
本実施形態の説明では、棒状部材の基本部材として、ステンレス製のポールを採用しているが、四角柱、六角柱など、他の形状のものでもよい。また、アジャスターは、ポール３の両端に設けなくても、一方の端だけに設ける形態でもよい。
【００１８】
【発明の効果】
本発明の窓用防犯装置は、構造が簡単なため、２つのストッパーの形を小さくすることができ、棒状部材を含めた装置全体の小型化と低価格化が実現される。棒状部材の基本部材として、ステンレス製のポールなどの、一般的な棒状部材を採用したので、アジャスターに合うものであれば、その長さを含め自由に選択することができる。そのため、窓の大きさに合わせた膨大な種類の本装置が、ポール一本の変更だけで実現され、多くの種類にわたる商品群を準備することになっても、部品管理の面での負担は少なくて済む。ストッパーのケースを同じ形にすることにより、部品の種類を減らすことができ、それとともに、どちらのストッパーにスイッチが内蔵されているのかがわかりにくくなり、妨害工作の抑止効果も得られる。
【００１９】
アジャスターを備えているため、棒状部材の全長を微調整することができる。このことは、棒状部材が、第一のストッパー１のスプリング６を押して、第一のストッパー１内にめり込む際の、深さの微調整が可能であることを意味している。つまり、第一のストッパー１内にめり込む深さが、深いほど内部のスプリング６を強く押し縮めることになり、棒状部材をセットした状態における第二のストッパー２を押さえる圧力が増し、棒状部材がストッパーから外れにくくなる。言い換えれば、この窓用防犯装置の検知感度を調節することができるのである。
【００２０】
また、本発明の窓用防犯装置は、側面も固定面となるようにし、その面にもビス穴用ノックアウトを設けたので、どのような形をした窓枠であっても、個々の窓の構造に合わせて、基本的機能及び外観を損なうことなく、設置することができる。検知信号は、端子台８に接続された配線から出力させるようにしたので、配線工事がし易くなり、取り付け作業全体が簡略化される。
【図面の簡単な説明】
【図１】本発明の窓用防犯装置の構成を示した断面図である。
【図２】本発明の窓用防犯装置を、ジャロジー窓の窓枠の内側の面に設置した状態を示した図である。
【図３】本発明の窓用防犯装置を、ジャロジー窓の窓枠の室内側の面に設置した状態を示した図である。
【符号の説明】
１・・・第一のストッパー
２・・・第二のストッパー
３・・・ポール
４・・・アジャスター
５・・・リミットスイッチ
６・・・スプリング
７・・・ロックネジ
８・・・端子台
９・・・窓枠
【図１】
0003909388.tif 000002
【図２】
0003909388.tif 000003
【図３】
0003909388.tif 000004